(57)【要約】      （修正有）【課題】包装容器と情報記録媒体とを一体とした包装体であって、流通過程での情報記録媒体の破損、あるいは盗難・紛失の危険性を少なくした包装体を提供する。【解決手段】包装容器内に商品2を収容し、商品と共に個包装された情報記録媒体3を収容したことを特徴とする包装体Ａであり、包装容器が蓋付きカップ、あるいは、蓋付きトレーである。また、情報記録媒体がディスク状であり、また、情報記録媒体が、バリアー性を有するプラスチックフィルムにより個包装されており、さらに、包装容器の外面に、情報記録媒体に記録した内容に関連する文字、図形、記号、絵柄等からなる印刷画像による表示部を形成した。【選択図】図１
2006027710.tif 000002
【特許請求の範囲】
【請求項１】
包装容器内に商品を収容し、該商品と共に個包装された情報記録媒体を収容したことを特徴とする包装体。
【請求項２】
前記包装容器が蓋付きカップであることを特徴とする請求項１に記載する包装体。
【請求項３】
前記包装容器が蓋付きトレーであることを特徴とする請求項１に記載する包装体。
【請求項４】
前記情報記録媒体が、ディスク状であることを特徴とする請求項１に記載する包装体。
【請求項５】
前記情報記録媒体が、バリアー性を有するプラスチックフィルムにより個包装されていることを特徴とする請求項１乃至４のいずれかに記載する包装体。
【請求項６】
前記包装容器の外面に、前記情報記録媒体に記録した内容に関連する文字、図形、記号、絵柄等からなる印刷画像による表示部を形成したことを特徴とする請求項１乃至５のいずれかに記載する包装体。
【発明の詳細な説明】
【技術分野】
【０００１】
本発明は、情報記録媒体を包装容器の中に収容した包装体に関するものである。
【背景技術】
【０００２】
従来より、情報記録媒体を取り付けた包装容器は種々の形態が提案されている。例えば、（１）飲料用缶の底側または蓋側の窪みに情報記録媒体が添付された形態の缶入り商品（例えば、特許文献１参照。）、（２）直方体もしくは円筒形の装飾体を載置する基台に収納室を形成し、この収納室にＣＤ、ＦＤ等の記録媒体を収納できるようにした装飾ケース（例えば、特許文献２参照。）、（３）商品にその商品自体と関連する音楽関連情報の録音又は録画がなされたコンパクトディスクまたはデジタルバーサタイルディスクを包装の外表面に付属させた商品包装体（例えば、特許文献３参照。）、（４）ディスク状アイテムおよび他のマテリアルを梱包するための細長い梱包装置であって、支持要素により分割された少なくとも１つの内部上方室にディスク状アイテムを確実に受け入れ、保持するようになっている梱包装置（例えば、特許文献４参照。）等が提案されている。。
【特許文献１】特開２００３−１１９８１号公報
【特許文献２】特開２００１−２２４４６９号公報
【特許文献３】実登録第３０９４９４１号公報
【特許文献４】特表２００２−５２５２５０号公報
【発明の開示】
【発明が解決しようとする課題】
【０００３】
しかしながら、上記の（１）、（２）のような形態では、情報記録媒体が商品とは別に外側に付属されているため、外側から情報記録媒体だけを取り出すことができ、盗難、粉失の危険性があり、（２）のように、底材の窪みに固着する形態ではその商品の重量や流通状態により破損する危険性がある。さらに、（３）、（４）のような形態では、情報記録媒体を環状リップに設けた形態では、商品の充填が難しかったり、梱包装置のコストアップになる等の問題があった。
【０００４】
そこで本発明は、包装容器と情報記録媒体とを一体とした包装体であって、流通過程での情報記録媒体の破損、あるいは盗難・紛失の危険性を少なくした包装体を提供することである。
【課題を解決するための手段】
【０００５】
上記のような問題点を解決するための本発明は、包装容器内に商品を収容し、該商品と共に個包装された情報記録媒体を収容したことを特徴とする包装体であり、前記包装容器が蓋付きカップ、あるいは、蓋付きトレーであることを特徴とする。また、前記情報記録媒体がディスク状であることを特徴とするものである。
【０００６】
また、前記情報記録媒体が、バリアー性を有するプラスチックフィルムにより個包装されていることを特徴とするものである。
【０００７】
さらに、前記包装容器の外面に、前記情報記録媒体に記録した内容に関連する文字、図形、記号、絵柄等からなる印刷画像による表示部を形成したことを特徴とする。
【発明の効果】
【０００８】
本発明の包装体によれば、情報記録媒体が、商品と共に、包装容器内に収容されていることにより、流通過程での破損等がなく、かつ、盗難・紛失の危険性がないという効果を有している。
【０００９】
また、プラスチックフィルムにより個包装されていることにより、共に収容している商品等の外側からの影響を受けずに変質等を起こさないという効果を有している。
【００１０】
また、商品と共に包装容器内に収容されている情報記録媒体に記録された画像、映像、音声、ソフトプログラム等の情報に関連した文字、図形、記号、絵柄等からなる印刷画像による表示部を包装体の外面に形成することにより、多くの情報等を提供することができるという効果を有している。
【発明を実施するための最良の形態】
【００１１】
上記の本発明について以下に更に詳しく説明する。まず、本発明にかかる包装体の構成についてその一例を例示して図面を用いて説明する。
【００１２】
図１に示すように、本発明にかかる包装体Ａは、包装容器１の中に商品２が収容され、その商品２と共に包装容器１内に個包装された情報記録媒体３が収容されているものである。
【００１３】
この情報記録媒体３は、画像、映像、音声、プログラムソフト等が記録された記録媒体であり、例えば、ディスク状の記録媒体として、ＣＤ−Ｒ、ＣＤ−ＲＷ、ＣＤ−ＲＯＭ、ＨＤＣＤ、ＡＶＣＤ、ＳＡＣＤ、ＤＳＤ、ＸＲＣＤ等のＣＤ（コンパクトディスク）、ＤＶＤ−Ｒ、ＤＶＤ−ＲＷ、ＤＶＤ−ＲＯＭ、ＤＶＤ−ＲＡＭ、ＤＶＤ+Ｒ、ＤＶＤ+ＲＷ等のＤＶＤ（デジタルバーサタイルディスク）等があり、メモリーカードとして、コンパクトフラッシュ、マイクロドライブ、スマートメディア、ｘＤピクチャーカード、ＳＤカード、メモリースティック等があり、その他にＦＤ（フロッピーディスク）、ＭＯ等があげられる。この情報記録媒体３に記録された内容と、包装容器１の外面に形成された表示部５（図２に示す）に示した内容とは連動したものとなっている。
【００１４】
この情報記録媒体３は個包装されて包装容器１の中に収容されるが、個包装はプラスチックフィルム等で作製された袋体Ｐの中に収納される。この袋体Ｐの材料として使用されるプラスチックフィルムは、ガスバリアー、水蒸気透過、芳香性、遮光等のバリアー性、耐熱性・耐ピンホール性等の物理的強度、衛生性、包装適性等の種々の条件が要求され、このために、本発明においては、上記のような諸条件を充足する材料を任意に選択して使用することができ、具体的には、例えば、低密度ポリエチレン、中密度ポリエチレン、高密度ポリエチレン、線状低密度ポリエチレン、ポリプロピレン、エチレン−プロピレン共重合体、エチレン−酢酸ビニル共重合体、アイオノマー樹脂、エチレン−アクリル酸エチル共重合体、エチレン−アクリル酸またはメタクリル酸共重合体、メチルペンテンポリマー、ポリブテン系樹脂、ポリ塩化ビニル系樹脂、ポリ酢酸ビニル系樹脂、ポリ塩化ビニリデン系樹脂、塩化ビニル−塩化ビニリデン共重合体、ポリ（メタ）アクリル系樹脂、ポリアクリルニトリル系樹脂、ポリスチレン系樹脂、アクリロニトリル−スチレン共重合体（ＡＳ系樹脂）、アクリロニトリル−ブタジエン−スチレン共重合体（ＡＢＳ系樹脂）、ポリエステル系樹脂、ポリアミド系樹脂、ポリカーボネート系樹脂、ポリビニルアルコール系樹脂、エチレン−酢酸ビニル共重合体のケン化物、フッ素系樹脂、ジエン系樹脂、ポリアセタール系樹脂、ポリウレタン系樹脂、ニトロセルロース等の公知の樹脂からなるフィルムから任意に選択して使用することができる。上記のプラスチックフィルムは、未延伸、一軸ないし二軸方向に延伸されたもののいずれのものでも使用することができ、その厚さは、任意であるが、１０〜３００μｍの範囲から選択して使用することができる。さらに、上記のプラスチックフィルムとしては、押し出し成膜、インフレーション成膜、コーティング膜等のいずれの製膜方法によるものでもよい。
【００１５】
また、プラスチックフィルム以外には、例えば、各種の紙、合成紙等も使用することができ、例えば、強サイズ性の晒または未晒の紙、純白ロール紙、クラフト紙、板紙、加工紙等を使用することができる。紙の坪量が８０〜６００ｇ／ｍ2の範囲のものを使用することが望ましい。勿論、これらの紙と、上記に挙げたプラスチックフィルムを積層して使用することができる。
【００１６】
また、本発明において、袋体Ｐを構成する場合、必要ならば、例えば、遮光、水蒸気、ガス、芳香等のバリアー性を有するアルミニウム箔、あるいはアルミニウムの蒸着膜を有する樹脂のフィルム、水蒸気、ガス、芳香等のバリアー性を有する酸化ケイ素、酸化アルミニウム等の無機酸化物の蒸着膜を有する樹脂のフィルム、水蒸気、水等のバリアー性を有する低密度ポリエチレン、中密度ポリエチレン、高密度ポリエチレン、直鎖状低密度ポリエチレン、ポリプロピレン、エチレン−プロピレン共重合体等の樹脂のプラスチックフィルム、あるいは、ガス、水蒸気等に対するバリアー性を有するポリ塩化ビニリデン、ポリビニルアルコール、エチレン−酢酸ビニル共重合体ケン化物等の樹脂のプラスチックフィルム、樹脂に顔料等の着色剤を、その他、所望の添加剤を加えて混練してフィルム化してなる遮光等のバリアー性を有する各種の着色樹脂のプラスチックフィルム、印刷層を設けてなる遮光等のバリアー性を有する各種のプラスチックフィルム等を使用することができる。これらの材料は、一種ないしそれ以上を組み合わせて使用することができる。
【００１７】
本発明の場合、中に収納する情報記録媒体６の材料のプラステック臭の食品へのオフフレーバーを防止するために、前述のガス等のバリアー性を有するアルミニウム箔、あるいはアルミニウムの蒸着膜を有する樹脂のフィルム、酸化ケイ素、酸化アルミニウム等の無機酸化物の蒸着膜を有する樹脂のフィルム、ポリ塩化ビニリデン、ポリビニルアルコール、エチレン−酢酸ビニル共重合体ケン化物等の樹脂のフィルムないしシートを基材として用いることが望ましい。
【００１８】
上記のような材料を使用し、例えば、ウエットラミネーション法、ドライラミネーション法、無溶剤型ドライラミネーション法、押し出しラミネーション法、共押し出しラミネーション法、インフレーション法等の通常の積層方法を利用して、所望の積層材を製造し、これを製袋して、袋体Ｐを製造することができる。また、上記の積層を行う際に、必要ならば、例えば、コロナ処理、オゾン処理等の前処理をフィルムに施すことができ、また、例えば、イソシアネート系（ウレタン系）、ポリエチレンイミン系、ポリブタジエン系、有機チタン系等のアンカーコーティング剤、あるいはポリウレタン系、ポリアクリル系、ポリエステル系、エポキシ系、ポリ酢酸ビニル系、セルロース系等のラミネート用接着剤等の前処理、アンカーコート剤、接着剤等を使用することができる。
【００１９】
つぎに、本発明の包装体において、上記のような積層材を使用して袋体Ｐに製袋するが、その袋体Ｐの形状は、例えば、側面シール型、二方シール型、三方シール型、四方シール型、封筒貼りシール型、合掌貼りシール型（ピローシール型）、ひだ付シール型、平底シール型、角底シール型等である。特に、広く普及されている円盤状のＣＤ、ＤＶＤを袋体Ｐに密封するには、図に示すように、角部を斜めシールすることが好ましい。
【００２０】
上記のような積層材を使用して袋体Ｐに製袋する方法について説明すると、上記のような方法で製造した積層材を使用し、その内層のヒートシール性樹脂層の面を対向させて、折り重ねるか、あるいは、二枚を重ね合わせて周辺端部をヒートシールしてシール部を設けて袋体Ｐを構成することができる。そのヒートシールの方法としては、例えば、バーシール、回転ロールシール、ベルトシール、インパルスシール、高周波シール、超音波シール等の公知の方法で行うことができる。
【００２１】
包装容器１としては、種々の形態が適応可能であり、形状、材料等は、特に限定されるものではないが、中に商品２と共に情報記録媒体３を収容することから、情報記録媒体３の形状に対応した形状のものとすることが好ましく、広く普及しているＣＤ、ＤＶＤ等の情報記録媒体３が円盤状であり、その点から、逆円錐台形のカップ容器あるいはトレー容器が好ましい。カップ容器の場合、紙カップとプラスチックカップとがあり、トレー容器の場合、紙トレーとプラスチックトレーがあり、いずれの場合も、本体と蓋体とから構成されている。
【００２２】
カップ容器が好適に使用することができ、紙カップの場合、図１に示すように、カップ本体１１は、一般的な紙カップ成形機により成形される。カップ本体１１は、胴部１３と底部１４とからなっている。胴部１３の上部には周状の先端に形成された外向きのトップカール部１５を有しており、さらに、開口部を蓋体１２で密封シールした形態となっている。
【００２３】
上記のような袋体Ｐに収容されたＣＤ、ＤＶＤ等の情報記録媒体３を、主たる商品２を収容すると共に、包装容器１の中に収容するが、収容する状態としては、特に限定されるものではないが、流通過程等で情報記録媒体３が損傷することがないように、商品２の下ではなく、図２に示すように、荷重がかからないように収容した商品２の上に重ねた状態、かつ、水平状態とすることが好ましい。この場合、情報記録媒体３が収納された袋体Ｐが包装容器１の開口部に近い位置で保持されることから、袋体Ｐの最大長さが、包装容器１の開口部内径より小さいことが好ましい。
【００２４】
また、本発明においては、包装容器１の外面に、文字、図形、記号、絵柄、模様等の所望の印刷絵柄を通常の印刷法、例えば、オフセット印刷、グラビア印刷、凸版印刷、シルクスクリ−ン印刷、転写印刷等によって包装容器１内に収容した商品２を表示する商品名、商標名、製造者、販売者、商品説明事項等の文字、図形、記号、絵柄等からなる印刷画像による商品内容表示部４を形成すると共に、該商品内容表示部４以外の領域に、この包装容器１内に収容した情報記録媒体３に記録した内容に関連する文字、図形、記号、絵柄等からなる印刷画像による表示部５を形成することができるものである。なお、本発明においては、上記のような印刷画像による商品内容表示部４および表示部５を形成するに際しては、商品内容表示部４および表示部５を構成する文字、図形、記号、絵柄等を、通常の印刷インキを使用して形成する代わりに、例えば、蛍光性インキ、示温性インキ等を使用して形成することもでき、また、凹凸画像等にすることもでき、さらに、ホログラフィー等を使用して形成してもよく、また、印刷インキの色数を増やして形成することもできる。従って、上記のような印刷画像による表示部５を形成することにより、その機能性、広告宣伝効果等を高めることが可能となるものである。
【実施例】
【００２５】
つぎに、上記の本発明について以下に実施例を挙げて詳しく説明する。
【００２６】
坪量４００ｇ／ｍ2のカップ原紙を使用して、開口部の直径が１３ｃｍの円形、底部の直径が１０ｃｍの円形、高さが１０ｃｍの紙カップを作製し、その外側に、坪量２７０ｇ／ｍ2の板紙を使用して、扇形の両縁を貼り合せて筒状とした外筒を嵌合して二重カップとした。この二重カップの中に内容物の商品である即席ラーメン、個包装した具、個包装した調味料と共に、個包装した直径１２ｃｍのＤＶＤを収納し、開口部を紙／アルミニウム箔／イージーピール層の構成からなる蓋体で密封シールした。ＤＶＤの個包装として、アルミ蒸着ＰＥＴ１２μｍ／ＬＭＤ／ＬＬＤＰＥ５０μｍの構成からなる２枚の積層フィルムで挟み、４辺および４隅をシールバーで熱シールして密封した。このＤＶＤは、名画シリーズとして映画の映像が記録されているものであり、袋体Ｐで個包装された状態で、包装容器の中に商品のラーメンと共に収納した。そして、外筒の外面に、即席ラーメンの商品名、絵柄、原材料名、内容量、賞味期限、製造者、あるいは販売者等を表示する印刷画像である商品内容表示部を印刷し、併せて、即席ラーメンを表示した商品内容表示部以外の領域に、中に収納したＤＶＤに記録されている映画に関する文字、絵柄等の印刷画像である表示部を印刷した。
【００２７】
このようにして個包装されて包装容器の中に収納されたＤＶＤは、流通での損傷を生じることなく、共に収納した商品に変質および異臭等の悪影響を及ぼすことなく、商品である即席ラーメンを販売すると共に、商品を購入した消費者にＤＶＤを提供することができた。
【産業上の利用可能性】
【００２８】
具体的な用例としては、包装容器内に収容する商品とては、例えば、ラーメン、スープ、スパゲッティ等の即席食品、菓子、キャンディー、その他の飲食品、洗剤、歯磨き粉、その他の日用品・雑貨品、医薬品等の商品を対象とすることができ、これらの商品と共に種々の形態の情報記録媒体を収納することが可能となる。
【図面の簡単な説明】
【００２９】
【図１】本発明にかかる包装体を示す概略的平面図である。
【図２】本発明にかかる袋体を示す概略的平面図である。
【符号の説明】
【００３０】
Ａ  包装体
Ｐ  袋体
１  包装容器
２  商品
３  情報記録媒体
４  商品内容表示部
５  表示部
１１  カップ本体
１２  蓋体
１３  胴部
１４  底部
１５  トップカール部
【図１】
2006027710.tif 000003
【図２】
2006027710.tif 000004